(57)【特許請求の範囲】
【請求項１】
無線通信のための方法であって、
イボルブド・ノードＢ（ｅＮＢ）による使用が制限されている１または複数の保護サブフレームの複数のパターンを受信することと、ここで、「ｋ」個の保護サブフレームを表すパターンの各保護サブフレームは、「ｋ＋１」個の保護サブフレームを表すパターンの、対応する保護サブフレームとオーバラップする、
前記複数のパターンのうち１つのパターンを選択することと、
前記選択されたパターンの保護サブフレームの間、送信を制限することと、
を備える方法。
【請求項２】
別のｅＮＢによる使用のために提供されうるリソース量を決定することと、
前記決定されたリソース量に基づいて、前記複数のパターンのうち１つのパターンを選択することと、
をさらに備える請求項１に記載の方法。
【請求項３】
前記選択されたパターンに基づいて、１または複数の保護サブフレームを識別する情報を送信すること、をさらに備える請求項１に記載の方法。
【請求項４】
前記１または複数の保護サブフレームは、ほとんどブランクであるサブフレーム（ＡＢＳ）を含む、請求項１に記載の方法。
【請求項５】
前記１または複数の保護サブフレームの複数のパターンはおのおの、前記１または複数の保護サブフレームを示す値に設定された１または複数のビットを有するビットマップを備える、請求項１に記載の方法。
【請求項６】
前記「ｋ」個の保護サブフレームに対応するパターンのビットマップは、前記「ｋ＋１」個の保護サブフレームに対応するパターンのビットマップと、１ビット値異なる、請求項５に記載の方法。
【請求項７】
無線通信のための方法であって、
ビットからなる複数のパターンを生成することと、ここで、各ビットは、イボルブド・ノードＢ（ｅＮＢ）の送信を制限することによって、対応するサブフレームが保護されているか否かを示し、「ｋ」個の保護サブフレームを表すパターンの各保護サブフレームは、「ｋ＋１」個の保護サブフレームを表すパターンの、対応する保護サブフレームとオーバラップする、
前記複数のパターンを、潜在的な干渉元のｅＮＢへ送信することと、
を備える方法。
【請求項８】
１または複数の前記保護サブフレームは、ほとんどブランクであるサブフレーム（ＡＢＳ）を含む、請求項７に記載の方法。
【請求項９】
１または複数の前記保護サブフレームの複数のパターンはおのおの、前記１または複数の保護サブフレームを示す値に設定された１または複数のビットを有するビットマップを備える、請求項７に記載の方法。
【請求項１０】
前記「ｋ」個の保護サブフレームに対応するパターンのビットマップは、前記「ｋ＋１」個の保護サブフレームに対応するパターンのビットマップと、１ビット値異なる、請求項９に記載の方法。
【請求項１１】
無線通信のための方法であって、
干渉元のイボルブド・ノードＢ（ｅＮＢ）による使用が制限されている１または複数の保護サブフレームの複数のパターンを受信することと、ここで、「ｋ」個の保護サブフレームを表すパターンの各保護サブフレームは、「ｋ＋１」個の保護サブフレームを表すパターンの、対応する保護サブフレームとオーバラップする、
１または複数の各干渉元のｅＮＢから、選択された１または複数のパターンを示すインジケーションを受信することと、
を備える方法。
【請求項１２】
前記選択された１または複数のパターンの、受信されたインジケーションに基づいて、固定的または半固定的である受信された選択されたパターンのうち、選択されたパターンの一部分を決定すること、をさらに備える請求項１１に記載の方法。
【請求項１３】
前記選択された１または複数のパターンの、受信されたインジケーションに基づいて、１または複数の保護サブフレームを識別する情報を、ユーザ機器（ＵＥ）へ送信すること、をさらに備える請求項１１に記載の方法。
【請求項１４】
前記識別された１または複数の保護サブフレームのうちの１または複数を用いて、前記ＵＥからデータを受信すること、または、前記ＵＥへデータを送信すること、のうちの少なくとも１つをさらに備える、請求項１３に記載の方法。
【請求項１５】
前記１または複数の保護サブフレームは、ほとんどブランクであるサブフレーム（ＡＢＳ）を含む、請求項１１に記載の方法。
【請求項１６】
前記１または複数の保護サブフレームの複数のパターンはおのおの、前記１または複数の保護サブフレームを示す値に設定された１または複数のビットを有するビットマップを備える、請求項１１に記載の方法。
【請求項１７】
前記「ｋ」個の保護サブフレームに対応するパターンのビットマップは、前記「ｋ＋１」個の保護サブフレームに対応するパターンのビットマップと、１ビット値異なる、請求項１６に記載の方法。
【請求項１８】
無線通信のための装置であって、
イボルブド・ノードＢ（ｅＮＢ）による使用が制限されている１または複数の保護サブフレームの複数のパターンを受信する手段と、ここで、「ｋ」個の保護サブフレームを表すパターンの各保護サブフレームは、「ｋ＋１」個の保護サブフレームを表すパターンの、対応する保護サブフレームとオーバラップする、
前記複数のパターンのうちの１つのパターンを選択する手段と、
前記選択されたパターンの保護サブフレームの間、送信を制限する手段と、
を備える装置。
【請求項１９】
別のｅＮＢによる使用のために提供されうるリソース量を決定する手段と、
前記決定されたリソース量に基づいて、前記複数のパターンのうち１つのパターンを選択する手段と、を備える請求項１８に記載の装置。
【請求項２０】
前記選択されたパターンに基づいて、１または複数の保護サブフレームを識別する情報を送信する手段、をさらに備える請求項１８に記載の装置。
【請求項２１】
前記１または複数の保護サブフレームは、ほとんどブランクであるサブフレーム（ＡＢＳ）を含む、請求項１８に記載の装置。
【請求項２２】
前記１または複数の保護サブフレームの複数のパターンはおのおの、前記１または複数の保護サブフレームを示す値に設定された１または複数のビットを有するビットマップを備える、請求項１８に記載の装置。
【請求項２３】
前記「ｋ」個の保護サブフレームに対応するパターンのビットマップは、前記「ｋ＋１」個の保護サブフレームに対応するパターンのビットマップと、１ビット値異なる、請求項２２に記載の装置。
【請求項２４】
無線通信のための装置であって、
ビットからなる複数のパターンを生成する手段と、ここで、各ビットは、イボルブド・ノードＢ（ｅＮＢ）の送信を制限することによって、対応するサブフレームが保護されているか否かを示し、「ｋ」個の保護サブフレームを表すパターンの各保護サブフレームは、「ｋ＋１」個の保護サブフレームを表すパターンの、対応する保護サブフレームとオーバラップする、
前記複数のパターンを、潜在的な干渉元のｅＮＢへ送信する手段と、
を備える装置。
【請求項２５】
１または複数の前記保護サブフレームは、ほとんどブランクであるサブフレーム（ＡＢＳ）を含む、請求項２４に記載の装置。
【請求項２６】
１または複数の前記保護サブフレームの複数のパターンはおのおの、前記１または複数の保護サブフレームを示す値に設定された１または複数のビットを有するビットマップを備える、請求項２４に記載の装置。
【請求項２７】
前記「ｋ」個の保護サブフレームに対応するパターンのビットマップは、前記「ｋ＋１」個の保護サブフレームに対応するパターンのビットマップと、１ビット値異なる、請求項２６に記載の装置。
【請求項２８】
無線通信のための装置であって、
干渉元のイボルブド・ノードＢ（ｅＮＢ）による使用が制限されている１または複数の保護サブフレームの複数のパターンを受信する手段と、ここで、「ｋ」個の保護サブフレームを表すパターンの各保護サブフレームは、「ｋ＋１」個の保護サブフレームを表すパターンの、対応する保護サブフレームとオーバラップする、
１または複数の各干渉元のｅＮＢから、選択された１または複数のパターンを示すインジケーションを受信する手段と、
を備える装置。
【請求項２９】
前記選択された１または複数のパターンの、受信されたインジケーションに基づいて、固定的または半固定的である受信された選択されたパターンのうち、選択されたパターンの一部分を決定する手段、をさらに備える請求項２８に記載の装置。
【請求項３０】
前記選択された１または複数のパターンの、受信されたインジケーションに基づいて、１または複数の保護サブフレームを識別する情報を、ユーザ機器（ＵＥ）へ送信する手段、をさらに備える請求項２８に記載の装置。
【請求項３１】
前記識別された１または複数の保護サブフレームのうちの１または複数を用いて、前記ＵＥからデータを受信する手段、または、前記ＵＥへデータを送信する手段、のうちの少なくとも１つを備える、請求項３０に記載の装置。
【請求項３２】
前記１または複数の保護サブフレームは、ほとんどブランクであるサブフレーム（ＡＢＳ）を含む、請求項２８に記載の装置。
【請求項３３】
前記１または複数の保護サブフレームの複数のパターンはおのおの、前記１または複数の保護サブフレームを示す値に設定された１または複数のビットを有するビットマップを備える、請求項２８に記載の装置。
【請求項３４】
前記「ｋ」個の保護サブフレームに対応するパターンのビットマップは、前記「ｋ＋１」個の保護サブフレームに対応するパターンのビットマップと、１ビット値異なる、請求項３３に記載の装置。
【請求項３５】
無線通信のための装置であって、
イボルブド・ノードＢ（ｅＮＢ）による使用が制限されている１または複数の保護サブフレームの複数のパターンを受信し、ここで、「ｋ」個の保護サブフレームを表すパターンの各保護サブフレームは、「ｋ＋１」個の保護サブフレームを表すパターンの、対応する保護サブフレームとオーバラップする、
前記複数のパターンのうちの１つのパターンを選択し、
前記選択されたパターンの保護サブフレームの間、送信を制限する、
ように構成された少なくとも１つのプロセッサと、
前記少なくとも１つのプロセッサに接続されたメモリと、
を備える装置。
【請求項３６】
前記少なくとも１つのプロセッサは、
別のｅＮＢによる使用のために提供されうるリソース量を決定し、
前記決定されたリソース量に基づいて、前記複数のパターンのうち１つのパターンを選択するように構成された、請求項３５に記載の装置。
【請求項３７】
前記少なくとも１つのプロセッサはさらに、前記選択されたパターンに基づいて、１または複数の保護サブフレームを識別する情報を送信するように構成された、請求項３５に記載の装置。
【請求項３８】
前記１または複数の保護サブフレームは、ほとんどブランクであるサブフレーム（ＡＢＳ）を含む、請求項３５に記載の装置。
【請求項３９】
前記１または複数の保護サブフレームの複数のパターンはおのおの、前記１または複数の保護サブフレームを示す値に設定された１または複数のビットを有するビットマップを備える、請求項３５に記載の装置。
【請求項４０】
前記「ｋ」個の保護サブフレームに対応するパターンのビットマップは、前記「ｋ＋１」個の保護サブフレームに対応するパターンのビットマップと、１ビット値異なる、請求項３９に記載の装置。
【請求項４１】
無線通信のための装置であって、
ビットからなる複数のパターンを生成し、ここで、各ビットは、イボルブド・ノードＢ（ｅＮＢ）の送信を制限することによって、対応するサブフレームが保護されているか否かを示し、「ｋ」個の保護サブフレームを表すパターンの各保護サブフレームは、「ｋ＋１」個の保護サブフレームを表すパターンの、対応する保護サブフレームとオーバラップする、
前記複数のパターンを、潜在的な干渉元のｅＮＢへ送信する、
ように構成された少なくとも１つのプロセッサと、
前記少なくとも１つのプロセッサに接続されたメモリと、
を備える装置。
【請求項４２】
１または複数の前記保護サブフレームは、ほとんどブランクであるサブフレーム（ＡＢＳ）を含む、請求項４１に記載の装置。
【請求項４３】
１または複数の前記保護サブフレームの複数のパターンはおのおの、前記１または複数の保護サブフレームを示す値に設定された１または複数のビットを有するビットマップを備える、請求項４１に記載の装置。
【請求項４４】
前記「ｋ」個の保護サブフレームに対応するパターンのビットマップは、前記「ｋ＋１」個の保護サブフレームに対応するパターンのビットマップと、１ビット値異なる、請求項４３に記載の装置。
【請求項４５】
無線通信のための装置であって、
干渉元のイボルブド・ノードＢ（ｅＮＢ）による使用が制限されている１または複数の保護サブフレームの複数のパターンを受信し、ここで、「ｋ」個の保護サブフレームを表すパターンの各保護サブフレームは、「ｋ＋１」個の保護サブフレームを表すパターンの、対応する保護サブフレームとオーバラップする、
１または複数の各干渉元のｅＮＢから、選択された１または複数のパターンを示すインジケーションを受信する、
ように構成された少なくとも１つのプロセッサと、
前記少なくとも１つのプロセッサに接続されたメモリと、
を備える装置。
【請求項４６】
前記少なくとも１つのプロセッサはさらに、前記選択された１または複数のパターンの、受信されたインジケーションに基づいて、固定的または半固定的である受信された選択されたパターンのうち、選択されたパターンの一部分を決定するように構成された、請求項４５に記載の装置。
【請求項４７】
前記少なくとも１つのプロセッサはさらに、前記選択された１または複数のパターンの、受信されたインジケーションに基づいて、１または複数の保護サブフレームを識別する情報を、ユーザ機器（ＵＥ）へ送信するように構成された、請求項４５に記載の装置。
【請求項４８】
前記少なくとも１つのプロセッサはさらに、前記識別された１または複数の保護サブフレームのうちの１または複数を用いて、前記ＵＥからデータを受信すること、または、前記ＵＥへデータを送信すること、のうちの少なくとも１つを実行するように構成された、請求項４７に記載の装置。
【請求項４９】
前記１または複数の保護サブフレームは、ほとんどブランクであるサブフレーム（ＡＢＳ）を含む、請求項４５に記載の装置。
【請求項５０】
前記１または複数の保護サブフレームの複数のパターンはおのおの、前記１または複数の保護サブフレームを示す値に設定された１または複数のビットを有するビットマップを備える、請求項４５に記載の装置。
【請求項５１】
前記「ｋ」個の保護サブフレームに対応するパターンのビットマップは、前記「ｋ＋１」個の保護サブフレームに対応するパターンのビットマップと、１ビット値異なる、請求項５０に記載の装置。
【請求項５２】
無線通信のためのコンピュータ・プログラムを格納する非一時的コンピュータ読取可能な記憶媒体であって、
前記コンピュータ・プログラムは、コードを備え、
前記コードは、
イボルブド・ノードＢ（ｅＮＢ）による使用が制限されている１または複数の保護サブフレームの複数のパターンを受信することと、ここで、「ｋ」個の保護サブフレームを表すパターンの各保護サブフレームは、「ｋ＋１」個の保護サブフレームを表すパターンの、対応する保護サブフレームとオーバラップする、
前記複数のパターンのうち１つのパターンを選択することと、
前記選択されたパターンの保護サブフレームの間、送信を制限することと、
のために、１または複数のプロセッサによって実行可能である、非一時的コンピュータ読取可能な記憶媒体。
【請求項５３】
別のｅＮＢによる使用のために提供されうるリソース量を決定するためのコードと、
前記決定されたリソース量に基づいて、前記複数のパターンのうち１つのパターンを選択するためのコードと、を備える請求項５２に記載の非一時的コンピュータ読取可能な記憶媒体。
【請求項５４】
前記選択されたパターンに基づいて、１または複数の保護サブフレームを識別する情報を送信するためのコード、をさらに備える請求項５２に記載の非一時的コンピュータ読取可能な記憶媒体。
【請求項５５】
前記１または複数の保護サブフレームは、ほとんどブランクであるサブフレーム（ＡＢＳ）を含む、請求項５２に記載の非一時的コンピュータ読取可能な記憶媒体。
【請求項５６】
前記１または複数の保護サブフレームの複数のパターンはおのおの、前記１または複数の保護サブフレームを示す値に設定された１または複数のビットを有するビットマップを備える、請求項５２に記載の非一時的コンピュータ読取可能な記憶媒体。
【請求項５７】
前記「ｋ」個の保護サブフレームに対応するパターンのビットマップは、前記「ｋ＋１」個の保護サブフレームに対応するパターンのビットマップと１ビット値異なる、請求項５６に記載の非一時的コンピュータ読取可能な記憶媒体。
【請求項５８】
無線通信のためのコンピュータ・プログラムを格納する非一時的コンピュータ読取可能な記憶媒体であって、
前記コンピュータ・プログラムは、コードを備え、
前記コードは、
ビットからなる複数のパターンを生成することと、ここで、各ビットは、イボルブド・ノードＢ（ｅＮＢ）の送信を制限することによって、対応するサブフレームが保護されているか否かを示し、「ｋ」個の保護サブフレームを表すパターンの各保護サブフレームは、「ｋ＋１」個の保護サブフレームを表すパターンの、対応する保護サブフレームとオーバラップする、
前記複数のパターンを、潜在的な干渉元のｅＮＢへ送信することと、
のために、１または複数のプロセッサによって実行可能である、非一時的コンピュータ読取可能な記憶媒体。
【請求項５９】
１または複数の前記保護サブフレームは、ほとんどブランクであるサブフレーム（ＡＢＳ）を含む、請求項５８に記載の非一時的コンピュータ読取可能な記憶媒体。
【請求項６０】
１または複数の前記保護サブフレームの複数のパターンはおのおの、前記１または複数の保護サブフレームを示す値に設定された１または複数のビットを有するビットマップを備える、請求項５８に記載の非一時的コンピュータ読取可能な記憶媒体。
【請求項６１】
前記「ｋ」個の保護サブフレームに対応するパターンのビットマップは、前記「ｋ＋１」個の保護サブフレームに対応するパターンのビットマップと、１ビット値異なる、請求項６０に記載の非一時的コンピュータ読取可能な記憶媒体。
【請求項６２】
無線通信のためのコンピュータ・プログラムを格納する非一時的コンピュータ読取可能な記憶媒体であって、
前記コンピュータ・プログラムは、コードを備え、
前記コードは、
干渉元のイボルブド・ノードＢ（ｅＮＢ）による使用が制限されている１または複数の保護サブフレームの複数のパターンを受信することと、ここで、「ｋ」個の保護サブフレームを表すパターンの各保護サブフレームは、「ｋ＋１」個の保護サブフレームを表すパターンの、対応する保護サブフレームとオーバラップする、
１または複数の各干渉元のｅＮＢから、選択された１または複数のパターンを示すインジケーションを受信することと、
のために、１または複数のプロセッサによって実行可能である、非一時的コンピュータ読取可能な記憶媒体。
【請求項６３】
前記選択された１または複数のパターンの、受信されたインジケーションに基づいて、固定的または半固定的である受信された選択されたパターンのうち、選択されたパターンの一部分を決定するためのコード、をさらに備える請求項６２に記載の非一時的コンピュータ読取可能な記憶媒体。
【請求項６４】
前記選択された１または複数のパターンの、受信されたインジケーションに基づいて、１または複数の保護サブフレームを識別する情報を、ユーザ機器（ＵＥ）へ送信するためのコード、をさらに備える請求項６２に記載の非一時的コンピュータ読取可能な記憶媒体。
【請求項６５】
前記識別された１または複数の保護サブフレームのうちの１または複数を用いて、前記ＵＥからデータを受信すること、または、前記ＵＥへデータを送信すること、のうちの少なくとも１つのためのコード、をさらに備える請求項６４に記載の非一時的コンピュータ読取可能な記憶媒体。
【請求項６６】
前記１または複数の保護サブフレームは、ほとんどブランクであるサブフレーム（ＡＢＳ）を含む、請求項６２に記載の非一時的コンピュータ読取可能な記憶媒体。
【請求項６７】
前記１または複数の保護サブフレームの複数のパターンはおのおの、前記１または複数の保護サブフレームを示す値に設定された１または複数のビットを有するビットマップを備える、請求項６２に記載の非一時的コンピュータ読取可能な記憶媒体。
【請求項６８】
前記「ｋ」個の保護サブフレームに対応するパターンのビットマップは、前記「ｋ＋１」個の保護サブフレームに対応するパターンのビットマップと、１ビット値異なる、請求項６７に記載の非一時的コンピュータ読取可能な記憶媒体。
【発明の詳細な説明】
【関連出願に対する相互参照】
【０００１】
本願は、２０１０年１０月２９日に出願された米国仮特許出願６１／４０８，１８２号の利益を主張する。この開示は、参照によって本明細書に明確に組み込まれている。
【技術分野】
【０００２】
本開示のある態様は、一般に、無線通信に関し、さらに詳しくは、強化されたセル間干渉調整（ｅＩＣＩＣ）のため、保護サブフレームの間、送信を制限するための方法に関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクにおいては、基地局からの送信が、１または複数の近隣の基地局からの送信による干渉を観察しうる。アップリンクにおいては、ＵＥからの送信が、１または複数の近隣の基地局と通信する１または複数の他のＵＥからの送信への干渉をもたらしうる。この干渉は、ダウンリンクとアップリンクとの両方のパフォーマンスを低下させうる。
【発明の概要】
【０００６】
本開示の態様では、無線通信のための方法が提供される。この方法は一般に、イボルブド・ノードＢ（ｅＮＢ）による使用が制限されている１または複数の保護サブフレームの複数のパターンを受信することと、ここで、「ｋ」個の保護サブフレームを表すパターンの各保護サブフレームは、「ｋ＋１」個の保護サブフレームを表すパターンの、対応する保護サブフレームとオーバラップする；これらパターンのうちの１つを選択することと；選択されたパターンの保護サブフレームの間、送信を制限することと；を含む。
【０００７】
本開示の態様では、無線通信のための装置が提供される。この装置は一般に、イボルブド・ノードＢ（ｅＮＢ）による使用が制限されている１または複数の保護サブフレームの複数のパターンを受信する手段と、ここで、「ｋ」個の保護サブフレームを表すパターンの各保護サブフレームは、「ｋ＋１」個の保護サブフレームを表すパターンの、対応する保護サブフレームとオーバラップする；これらパターンのうちの１つを選択する手段と；選択されたパターンの保護サブフレームの間、送信を制限する手段と；を含む。
【０００８】
本開示の態様では、無線通信のための装置が提供される。この装置は、一般に、少なくとも１つのプロセッサと、少なくとも１つのプロセッサに接続されたメモリとを含む。この少なくとも１つのプロセッサは一般に、イボルブド・ノードＢ（ｅＮＢ）による使用が制限されている１または複数の保護サブフレームの複数のパターンを受信し、ここで、「ｋ」個の保護サブフレームを表すパターンの各保護サブフレームは、「ｋ＋１」個の保護サブフレームを表すパターンの、対応する保護サブフレームとオーバラップする；これらパターンのうちの１つを選択し；選択されたパターンの保護サブフレームの間、送信を制限する；ように構成されている。
【０００９】
本開示の態様では、無線通信のためのコンピュータ・プログラム製品が提供される。このコンピュータ・プログラム製品は、一般に、格納されたプログラム・コードを有する非一時的なコンピュータ読取可能な媒体を含む。このコードは一般に、イボルブド・ノードＢ（ｅＮＢ）による使用が制限されている１または複数の保護サブフレームの複数のパターンを受信することと、ここで、「ｋ」個の保護サブフレームを表すパターンの各保護サブフレームは、「ｋ＋１」個の保護サブフレームを表すパターンの、対応する保護サブフレームとオーバラップする；これらパターンのうちの１つを選択することと；選択されたパターンの保護サブフレームの間、送信を制限することと；のために１または複数のプロセッサによって実行可能である。
【００１０】
本開示の態様では、無線通信のための方法が提供される。この方法は一般に、ビットからなる複数のパターンを生成することと、ここで、各ビットは、イボルブド・ノードＢ（ｅＮＢ）の送信を制限することによって、対応するサブフレームが保護されているか否かを示し、「ｋ」個の保護サブフレームを表すパターンの各保護サブフレームは、「ｋ＋１」個の保護サブフレームを表すパターンの、対応する保護サブフレームとオーバラップする；これらパターンのシーケンスを、潜在的な干渉元のｅＮＢへ送信することと；を含む。
【００１１】
本開示の態様では、無線通信のための装置が提供される。この装置は一般に、ビットからなる複数のパターンを生成する手段と、ここで、各ビットは、イボルブド・ノードＢ（ｅＮＢ）の送信を制限することによって、対応するサブフレームが保護されているか否かを示し、「ｋ」個の保護サブフレームを表すパターンの各保護サブフレームは、「ｋ＋１」個の保護サブフレームを表すパターンの、対応する保護サブフレームとオーバラップする；複数のパターンを、潜在的な干渉元のｅＮＢへ送信する手段と；を含む。
【００１２】
本開示の態様では、無線通信のための装置が提供される。この装置は、一般に、少なくとも１つのプロセッサと、少なくとも１つのプロセッサに接続されたメモリとを含む。この少なくとも１つのプロセッサは一般に、ビットからなる複数のパターンを生成し、ここで、各ビットは、イボルブド・ノードＢ（ｅＮＢ）の送信を制限することによって、対応するサブフレームが保護されているか否かを示し、「ｋ」個の保護サブフレームを表すパターンの各保護サブフレームは、「ｋ＋１」個の保護サブフレームを表すパターンの、対応する保護サブフレームとオーバラップする；複数のパターンを、潜在的な干渉元のｅＮＢへ送信する；ように構成される。
【００１３】
本開示の態様では、無線通信のためのコンピュータ・プログラム製品が提供される。このコンピュータ・プログラム製品は、一般に、格納されたプログラム・コードを有する非一時的なコンピュータ読取可能な媒体を含む。このコードは一般に、ビットからなる複数のパターンを生成することと、ここで、各ビットは、イボルブド・ノードＢ（ｅＮＢ）の送信を制限することによって、対応するサブフレームが保護されているか否かを示し、「ｋ」個の保護サブフレームを表すパターンの各保護サブフレームは、「ｋ＋１」個の保護サブフレームを表すパターンの、対応する保護サブフレームとオーバラップする；複数のパターンを、潜在的な干渉元のｅＮＢへ送信する；のために１または複数のプロセッサによって実行可能である。
【００１４】
本開示の態様では、無線通信のための方法が提供される。この方法は一般に、干渉元のイボルブド・ノードＢ（ｅＮＢ）による使用が制限されている１または複数の保護サブフレームの複数のパターンを受信することと、「ｋ」個の保護サブフレームを表すパターンの各保護サブフレームは、「ｋ＋１」個の保護サブフレームを表すパターンの、対応する保護サブフレームとオーバラップする；１または複数の各干渉元のｅＮＢから、選択された１または複数のパターンを示すインジケーションを受信することと；を含む。
【００１５】
本開示の態様では、無線通信のための装置が提供される。この装置は一般に、干渉元のイボルブド・ノードＢ（ｅＮＢ）による使用が制限されている１または複数の保護サブフレームの複数のパターンを受信する手段と、「ｋ」個の保護サブフレームを表すパターンの各保護サブフレームは、「ｋ＋１」個の保護サブフレームを表すパターンの、対応する保護サブフレームとオーバラップする；１または複数の各干渉元のｅＮＢから、選択された１または複数のパターンを示すインジケーションを受信する手段と；を含む。
【００１６】
本開示の態様では、無線通信のための装置が提供される。この装置は、一般に、少なくとも１つのプロセッサと、少なくとも１つのプロセッサに接続されたメモリとを含む。この少なくとも１つのプロセッサは一般に、干渉元のイボルブド・ノードＢ（ｅＮＢ）による使用が制限されている１または複数の保護サブフレームの複数のパターンを受信し、「ｋ」個の保護サブフレームを表すパターンの各保護サブフレームは、「ｋ＋１」個の保護サブフレームを表すパターンの、対応する保護サブフレームとオーバラップする；１または複数の各干渉元のｅＮＢから、選択された１または複数のパターンを示すインジケーションを受信する；ように構成される。
【００１７】
本開示の態様では、無線通信のためのコンピュータ・プログラム製品が提供される。このコンピュータ・プログラム製品は、一般に、格納されたプログラム・コードを有する非一時的なコンピュータ読取可能な媒体を含む。このコードは一般に、干渉元のイボルブド・ノードＢ（ｅＮＢ）による使用が制限されている１または複数の保護サブフレームの複数のパターンを受信し、「ｋ」個の保護サブフレームを表すパターンの各保護サブフレームは、「ｋ＋１」個の保護サブフレームを表すパターンの、対応する保護サブフレームとオーバラップする；１または複数の各干渉元のｅＮＢから、選択された１または複数のパターンを示すインジケーションを受信する；ために１または複数のプロセッサによって実行可能である。
【図面の簡単な説明】
【００１８】
【図１】図１は、本開示のある態様にしたがう無線通信ネットワークの例を概念的に例示するブロック図である。
【図２】図２は、本開示のある態様にしたがう無線通信ネットワークにおいて、ユーザ機器デバイス（ＵＥ）と通信しているノードＢの例を概念的に例示するブロック図である。
【図３】図３は、本開示のある態様にしたがう無線通信ネットワークにおけるフレーム構造の例を概念的に例示するブロック図である。
【図４】図４は、本開示のある態様にしたがうメッセージの交換の例を例示する。
【図５】図５は、本開示のある態様にしたがって、例えばｅＮＢによって実行される動作の例を例示する。
【図６】図６は、本開示のある態様にしたがって、例えばネットワークによって実行される動作の例を例示する。
【図７】図７は、本開示のある態様にしたがって、例えばｅＮＢによって実行される動作の例を例示する。
【発明を実施するための形態】
【００１９】
以下により詳細に記載されるように、強化されたセル間干渉調整（ｅＩＣＩＣ）によって、ユーザ機器（ＵＥ）は、最強のセルではないセルから、サービスをより効率的に受信できるようになる。本開示の態様によれば、強いセルは、保護サブフレームの間、送信を制限することによって、保護されたリソースを生成しうる。保護されたリソースは、例えば、ネットワークによって生成された、保護されたリソースのパターンを受信することに基づいて、マクロ・セルによって生成されたほとんどブランクであるサブフレーム（ＡＢＳ）でありうる。
【００２０】
ＡＢＳは、ＵＥにサービス提供するために、例えばピコ・セルのような最強ではないセルによって使用されうる。本開示のある態様は、選択されたパターンを示すインジケーションを、弱いセルが、１または複数の干渉元のセルから受信することを可能にする技術を提供する。ここでは、干渉元のセルによる使用が制限されている。
【００２１】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、周波数分割デュプレクス（ＦＤＤ）と時分割デュプレクス（ＴＤＤ）との両方において、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された団体からの文書に記載されている。ｃｄｍａ２０００およびＵＭＢは、「第３世代パートナシップ計画２」（３ＧＰＰ２）と命名された団体からの文書に記載されている。本明細書において記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００２２】
図１は、リソース分割情報を用いて基準信号処理を実行するために記載された手順が実行されうる無線通信ネットワーク１００を示す。このネットワーク１００は、ＬＴＥネットワークまたはその他いくつかの無線ネットワークでありうる。無線ネットワーク１００は、多くのイボルブド・ノードＢ（ｅＮＢ）１１０およびその他のネットワーク・エンティティを含みうる。ｅＮＢは、ＵＥと通信するエンティティであり、基地局、ノードＢ、アクセス・ポイント等とも称されうる。おのおののｅＮＢは、特定の地理的エリアのために通信有効通信範囲を提供する。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００２３】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ）によって制限されたアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢ（ＨｅＮＢ）と称されうる。図１に示す例では、ｅＮＢ１１０ａは、マクロ・セル１０２ａのためのマクロｅＮＢであり、ｅＮＢ１１０ｂは、ピコ・セル１０２ｂのためのピコｅＮＢであり、ｅＮＢ１１０ｃは、フェムト・セル１０２ｃのためのフェムトｅＮＢでありうる。ｅＮＢは、１または複数（例えば３つ）のセルをサポートしうる。「ｅＮＢ」、「基地局」、および「セル」という用語は、本明細書において置換可能に使用されうる。
【００２４】
無線ネットワーク１００はさらに、中継局をも含みうる。中継局は、データの伝送を上流局（例えば、ｅＮＢまたはＵＥ）から受信し、データの伝送を下流局（例えば、ＵＥまたはｅＮＢ）へ送信するエンティティである。中継局はまた、他のＵＥのための送信を中継するＵＥでもありうる。図１に示される例において、中継局１１０ｄは、ｅＮＢ１１０ａとＵＥ１２０ｄとの間の通信を容易にするために、マクロｅＮＢ１１０ａおよびＵＥ１２０ｄと通信しうる。中継局はまた、中継ｅＮＢ、中継基地局、リレー等とも称されうる。
【００２５】
無線ネットワーク１００はまた、例えば、マクロｅＮＢ、ピコｅＮＢ、フェムトｅＮＢ、中継ｅＮＢ等のような異なるタイプのｅＮＢを含むヘテロジニアスなネットワークでありうる。これら異なるタイプのｅＮＢは、異なる送信電力レベル、異なる有効通信範囲エリア、および、無線ネットワーク１００内の干渉に対する異なるインパクトを有しうる。例えば、マクロｅＮＢは、高い送信電力レベル（例えば、５乃至４０ワット）を有する一方、ピコｅＮＢ、フェムトｅＮＢ、および中継ｅＮＢは、低い送信電力レベル（例えば、０．１乃至２ワット）を有しうる。
【００２６】
ネットワーク・コントローラ１３０は、ｅＮＢのセットに接続しており、これらｅＮＢに対して調整および制御を提供しうる。ネットワーク・コントローラ１３０は、バックホールを介してｅＮＢと通信しうる。ｅＮＢはまた、例えば、ダイレクトに、または、無線または有線のバックホールを介して非ダイレクトに、互いに通信しうる。
【００２７】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック等でありうる。
【００２８】
図２は、図１における基地局／ｅＮＢのうちの１つ、およびＵＥのうちの１つでありうる、基地局／ｅＮＢ１１０とＵＥ１２０との設計のブロック図を示す。基地局１１０は、Ｔ個のアンテナ２３４ａ乃至２３４ｔを備え、ＵＥ１２０は、Ｒ個のアンテナ２５２ａ乃至２５２ｒを備えうる。ここで、一般に、Ｔ≧１およびＲ≧１である。
【００２９】
基地局１１０では、送信プロセッサ２２０が、１または複数のＵＥのためのデータを、データ・ソース２１２から受け取り、ＵＥから受信したチャネル品質インジケータ（ＣＱＩ）に基づいて、各ＵＥのための１または複数の変調および符号化スキーム（ＭＣＳ）を選択し、ＵＥのために選択されたＭＣＳ（単数または複数）に基づいて、各ＵＥのためのデータを処理（例えば、符号化および変調）し、すべてのＵＥのためのデータ・シンボルを提供しうる。送信プロセッサ２２０はまた、（例えば、固定リソース分割情報（ＳＲＰＩ）等のための）システム情報および制御情報（例えば、ＣＱＩ要求、許可、上位レイヤ・シグナリング等）を処理し、オーバヘッド・シンボルおよび制御シンボルを提供しうる。プロセッサ２２０はまた、基準信号（例えば、セル特有基準信号（ＣＲＳ））および同期信号（例えば、一次同期信号（ＰＳＳ）および二次同期信号（ＳＳＳ））のための基準シンボルを生成しうる。送信（ＴＸ）複数入力複数出力（ＭＩＭＯ）プロセッサ２３０は、適用可能であれば、データ・シンボル、制御シンボル、オーバヘッド・シンボル、および／または、基準シンボルに空間処理（例えば、プリコーディング）を実行し、Ｔ個の出力シンボル・ストリームをＴ個の変調器（ＭＯＤ）２３２ａ乃至２３２ｔに提供しうる。おのおのの変調器２３２は、（例えば、ＯＦＤＭ等のために）それぞれの出力シンボル・ストリームを処理して、出力サンプル・ストリームを得る。おのおのの変調器２３２はさらに、出力サンプル・ストリームを処理（例えば、アナログ変換、増幅、フィルタ、およびアップコンバート）し、ダウンリンク信号を取得する。変調器２３２ａ乃至２３２ｔからのＴ個のダウンリンク信号は、Ｔ個のアンテナ２３４ａ乃至２３４ｔによってそれぞれ送信されうる。
【００３０】
ＵＥ１２０では、アンテナ２５２ａ乃至２５２ｒが、基地局１１０および／またはその他の基地局からダウンリンク信号を受信し、受信した信号を、復調器（ＤＥＭＯＤ）２５４ａ乃至２５４ｒへそれぞれ提供しうる。おのおのの復調器２５４は、受信されたそれぞれの信号を調整（例えば、フィルタ、増幅、ダウンコンバート、およびデジタル化）して、入力サンプルを取得しうる。おのおのの復調器２５４はさらに、（例えば、ＯＦＤＭ等のため）これら入力サンプルを処理して、受信されたシンボルを取得しうる。ＭＩＭＯ検出器２５６は、Ｒ個すべての復調器２５４ａ乃至２５４ｒから受信したシンボルを取得し、適用可能である場合、これら受信されたシンボルに対してＭＩＭＯ検出を実行し、検出されたシンボルを提供しうる。受信プロセッサ２５８は、検出されたシンボルを処理（例えば、復調および復号）し、復号されたデータをＵＥ１２０のためにデータ・シンク２６０に提供し、復号された制御情報およびシステム情報をコントローラ／プロセッサ２８０へ提供しうる。チャネル・プロセッサ２８４は、以下に記載されるように、基準信号受信電力（ＲＳＲＰ）、受信信号強度インジケータ（ＲＳＳＩ）、基準信号受信品質（ＲＳＲＱ）、ＣＱＩ等を決定しうる。
【００３１】
アップリンクでは、ＵＥ１２０において、送信プロセッサ２６４が、データ・ソース２６２からデータを、コントローラ／プロセッサ２８０から（例えば、ＲＳＲＰ、ＲＳＳＩ、ＲＳＲＱ、ＣＱＩ等を備えるレポートのための）制御情報を受け取り、これらを処理しうる。プロセッサ２６４はさらに、１または複数の基準信号のための基準シンボルを生成しうる。送信プロセッサ２６４からのシンボルは、適用可能であれば、ＴＸ  ＭＩＭＯプロセッサ２６６によってプリコードされ、さらに、（例えば、ＳＣ−ＦＤＭ、ＯＦＤＭ等のために）変調器２５４ａ乃至２５４ｒによって処理され、基地局１１０へ送信される。基地局１１０では、ＵＥ１２０およびその他のＵＥからのアップリンク信号が、アンテナ２３４によって受信され、復調器２３２によって処理され、適用可能な場合にはＭＩＭＯ検出器２３６によって検出され、さらに、受信プロセッサ２３８によって処理されて、ＵＥ１２０へ送信された復号されたデータおよび制御情報が取得される。プロセッサ２３８は、復号されたデータをデータ・シンク２３９へ提供し、復号された制御情報をコントローラ／プロセッサ２４０へ提供しうる。
【００３２】
コントローラ／プロセッサ２４０，２８０は、基地局１１０およびＵＥ１２０それぞれにおける動作を指示しうる。基地局１１０におけるプロセッサ２４０および／またはその他のプロセッサおよびモジュールは、本明細書に記載されたように、さまざまなランダム・アクセス手順のためにＵＥを設定するための動作を実行または指示し、このような手順の間、１または複数の属性を識別しうる。例えば、ＵＥ１２０におけるプロセッサ２８０および／またはその他のプロセッサおよびモジュールは、本明細書で説明されたさまざまなランダム・アクセス手順のための動作の実行または指示を行いうる。メモリ２４２，２８２は、基地局１１０およびＵＥ１２０それぞれのためのデータおよびプログラム・コードを格納しうる。スケジューラ２４４は、ダウンリンクおよび／またはアップリンクでのデータ送信のためにＵＥをスケジュールしうる。
【００３３】
図３は、ＬＴＥにおけるＦＤＤのための典型的なフレーム構造３００を示す。ダウンリンクおよびアップリンクのおのおののための送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、例えば、（図３に示すように）通常のサイクリック・プレフィクスの場合、７つのシンボル期間、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。
【００３４】
ＬＴＥでは、ｅＮＢはまた、ｅＮＢによってサポートされるおのおののセルのためのシステム帯域幅の中央の１．０８ＭＨｚで、ダウンリンクで一次同期信号（ＰＳＳ）および二次同期信号（ＳＳＳ）を送信しうる。図３に示すように、ＰＳＳおよびＳＳＳは、通常のサイクリック・プレフィクスを持つ各ラジオ・フレームのサブフレーム０およびサブフレーム５において、シンボル期間６およびシンボル期間５でそれぞれ送信されうる。ＰＳＳおよびＳＳＳは、ＵＥによって、セル探索および獲得のために使用されうる。ｅＮＢは、ｅＮＢによってサポートされているおのおののセルについて、システム帯域幅で、セル特有基準信号（ＣＲＳ）を送信しうる。ＣＲＳは、おのおののサブフレームのあるシンボル期間で送信されうる。そして、チャネル推定、チャネル品質測定、および／または、その他の機能を実行するために、ＵＥによって使用されうる。ｅＮＢはまた、あるラジオ・フレームのスロット１におけるシンボル期間０乃至３で、物理ブロードキャスト・チャネル（ＰＢＣＨ）を送信しうる。ＰＢＣＨは、いくつかのシステム情報を伝送しうる。ｅＮＢは、例えばシステム情報ブロック（ＳＩＢ）のようなその他のシステム情報を、あるサブフレームで、物理ダウンリンク共有チャネル（ＰＤＳＣＨ）で送信しうる。ｅＮＢは、サブフレームの最初のＢ個のシンボル期間において、物理ダウンリンク制御チャネル（ＰＤＣＣＨ）で制御情報／データを送信しうる。ここで、Ｂは各サブフレームについて設定可能でありうる。ｅＮＢは、各サブフレームの残りのシンボル期間において、ＰＤＳＣＨで、トラフィック・データおよび／またはその他のデータを送信しうる。
【００３５】
無線ネットワークは、ダウンリンクおよびアップリンクにおけるデータ送信のために、ハイブリッド自動再送信（ＨＡＲＱ）をサポートしうる。ＨＡＲＱの場合、パケットが受信機（例えば、ＵＥ）によって正確に復号されるか、または、その他の終了条件に到達するまで、送信機（例えば、ｅＮＢ）は、パケットの１または複数の伝送を送りうる。同期ＨＡＲＱの場合、パケットのすべての送信が、単一のインタレースのサブフレームで送信されうる。非同期ＨＡＲＱの場合、パケットの送信はそれぞれ、任意のサブフレームで送られうる。
【００３６】
（強化されたセル間干渉調整のため、リソース・セットのためのシーケンスを定義および／または使用すること）  
１または複数のより強いセルから、より低い電力のセルへとオフロードすることを可能にすることによって、強化されたセル間干渉調整（ｅＩＣＩＣ）は、ＵＥに対して、最も強いセルではないセルからサービスをより効率的に受信できるようにする。さらに、ｅＩＣＩＣによって、ＵＥは、許可されていないフェムト・セルに近接している場合、マクロ・セルに接続できるようになる。
【００３７】
本開示の態様によれば、ｅＩＣＩＣ技術は、例えばほとんどブランクであるサブフレーム（ＡＢＳ）のように、１または複数の干渉元のセルまたは、潜在的な干渉元のセルによる使用が制限されている、保護された時間領域リソースを生成することを含む。強い、潜在的な干渉元のマクロ・セルのＡＢＳが、より弱いピコ・セルによって使用され、ＵＥは、より弱いピコ・セルからのサービスをより効率的に受信できるようになる。態様によれば、１または複数のマクロ・セルのＡＢＳは、ＵＥにサービス提供するために、ピコ・セルが最も強いセルではないピコ・セルによって使用されうる。
【００３８】
ＡＢＳは、半固定的ＡＢＳＦと、適応性ＡＢＳＦとの２つの部分からなる。半固定的ＡＢＳ情報は、（例えば、ブロードキャストされた、または専用の）ネットワーク・シグナリングによってＵＥに知られる。ネットワークは、ｅＮＢ間のネゴシエーションによって、または、動作およびメンテナンス（ＯＡＭ）設定によって、半固定的ＡＢＳを決定しうる。ＵＥは、ラジオ・リソース管理およびラジオ・リンク管理のための測定を制限するために、半固定的ＡＢＳ情報を使用し、これによって、より弱いサービス提供セルへのよりロバストな接続が可能となる。
【００３９】
適応性ＡＢＳ情報は、基地局によるスケジューリングのために使用されうるが、ＵＥによって知られていないことがありうる。ネットワークにおける負荷に依存して、高速時間スケールにおいて、基地局間で、適応性ＡＢＳ設定がネゴシエートされうる。本開示の態様は、ＡＢＳ設定のネゴシエーションを単純化することと、ｅＩＣＩＣのためのロバスト性を改善することと、に関する。
【００４０】
以下により詳細に記載されるように、ネットワークは、ビットからなる複数のパターンを生成し、これらパターンを、潜在的な干渉元のｅＮＢに送信しうる。各ビットは、対応するサブフレームが保護されているか否かを表しうる。ネットワークは、シーケンスにしたがってパターンを生成しうる。例えば、「ｋ」個の保護サブフレームを有するパターンは、「ｋ＋１」個の保護サブフレームを有するパターンとオーバラップしうる。態様によれば、「ｋ」個の保護サブフレームに対応するパターンのビットマップは、「ｋ＋１」個の保護サブフレームを有するパターンのビットマップと、１ビット値異なる。
【００４１】
態様によれば、潜在的な干渉元のｅＮＢは、複数のパターンを受信しうる。ｅＮＢは、例えば、別のｅＮＢによる使用のために提供されうるリソース量を決定することに基づいて、これらパターンのうちの１つのパターンを選択しうる。潜在的な干渉元のｅＮＢは、決定された量、および／または、選択されたパターンに基づいて、保護サブフレームのうちの１または複数を識別する情報を、ピコｅＮＢへ送信しうる。例えば、潜在的な干渉元のｅＮＢは、１または複数の保護サブフレームを示す値に設定された１または複数のビットを有するビットマップを、例えば、提供する決定されたリソース量に基づいて、別のｅＮＢおよび／または選択されたパターンへ送信しうる。
【００４２】
ピコｅＮＢは、各干渉元のｅＮＢから選択された１または複数のパターンを示すインジケーションを受信しうる。選択された１または複数のパターンの、受信されたインジケーションに基づいて、ピコｅＮＢは、固定的または半固定的である選択されたパターンの一部分を決定しうる。ピコｅＮＢは、選択されたパターンのうちの受信されたインジケーションに基づいて、１または複数の保護サブフレームを識別する情報をＵＥへ送信しうる。ピコｅＮＢは、識別された１または複数の保護サブフレームのうちの１または複数を用いて、データをＵＥへ送信しうる。態様によれば、ピコｅＮＢは、１または複数の保護サブフレームを用いて、ＵＥからデータを受信しうる。
【００４３】
図４は、本開示のある態様にしたがう、メッセージ４００の交換を例示する。図４に示される例では、ｅＮＢ４３０は、ピコ・セル４３０ａのためのピコｅＮＢでありうる。また、ｅＮＢ４１０，４２０はそれぞれ、マクロ・セル４１０ａ，４２０ａのためのマクロｅＮＢでありうる。マクロｅＮＢ４１０，４２０からの送信は、ＵＥ４４０にサービス提供するピコｅＮＢ４３０からの送信と干渉しうる。したがって、１または複数の干渉元のマクロｅＮＢ４１０，４２０による使用が制限されている保護サブフレームの構成を、ピコｅＮＢ４３０が受信することは有益であろう。図４はピコｅＮＢと通信する２つのマクロｅＮＢを例示しているが、任意の数のｅＮＢが、ピコｅＮＢからＵＥへの送信と干渉しうる。
【００４４】
１または複数の干渉元のｅＮＢはおのおの、ピコｅＮＢへコンフィギュレーション・メッセージを送信しうる。例示されるように、マクロｅＮＢ４１０は、コンフィギュレーション・メッセージ４５０を、マクロｅＮＢ４２０は、コンフィギュレーション・メッセージ４６０を、ピコｅＮＢ４３０へ送信しうる。コンフィギュレーション・メッセージ４５０，４６０は、各ｅＮＢによる使用が制限されているサブフレームを示しうる。例えば、各コンフィギュレーション・メッセージは、各ｅＮＢによって選択されたパターンに基づいて、１または複数の保護サブフレームを識別する情報を含みうる。
【００４５】
ピコｅＮＢ４３０からＵＥ４４０への送信は、マクロｅＮＢ４１０およびマクロｅＮＢ４２０による使用が制限されているサブフレームにおいて、低い干渉を受ける場合がありうる。したがって、効率的な動作のために、マクロｅＮＢ４１０，４２０によって提供された保護サブフレームの構成は、可能な限り多くのオーバラップを有することが望まれうる。ピコｅＮＢ４３０は、オーバラップしている保護サブフレーム中に送信している間、より高い信号対雑音比（ＳＮＲ）、すなわち、より良好なデータ・レートを経験しうる。
【００４６】
現在の設計によれば、マクロｅＮＢ４１０，４２０は各々、さまざまな入力に基づいて、保護サブフレームの構成を計算し、この構成をピコｅＮＢ４３０へ通信しうる。マクロｅＮＢ４１０，４２０とピコｅＮＢ４３０との間のシグナリングに基づいて、ピコｅＮＢ４３０は、保護リソースの半固定的な部分と、動的な部分とを区別できないことがありうる。この場合、ピコｅＮＢ４３０は、適切な半固定的な構成を、ＵＥ４４０へシグナルすることができないことがありうる。
【００４７】
本開示の態様によれば、ネットワークは、ビットからなる複数のパターンを生成し、これらパターンを、潜在的な干渉元のｅＮＢに送信しうる。各ビットは、ｅＮＢが送信を制限している保護サブフレームを示しうる。ビットからなる複数のパターンは、シーケンスにしたがいうる。したがって、保護されたリソースの数が増加すると、既存の保護されたリソースは、そのまま変わらず、新たに保護されたリソースが追加される。
【００４８】
態様によれば、「ｋ」個の保護されたリソースと、「ｋ＋１」個の保護されたリソースとを有する構成を表すビットマップは、オーバラップし、唯一のビット位置において異なりうる。例えば、以下のようなビットからなるパターンが使用されうる。  
パターン０＝’００００  ００００’  
パターン１＝’００００  ０００１’  
パターン２＝’０００１  ０００１’  
パターン３＝’０００１  ００１１’  
パターン４＝’００１１  ００１１’  
パターンのシーケンスは、標準的な仕様によって定義され、オペレータによってＯＡＭを介して設定されうる。
【００４９】
潜在的な干渉元のｅＮＢは、例えば、ネットワークによって生成された、ビットからなる複数のパターンを受信しうる。ｅＮＢは、おのおのが別のｅＮＢによる使用のために提供しうるリソース量を決定しうる。例えば、図４に示すように、マクロｅＮＢ４１０，４２０は、ピコｅＮＢ４３０による使用のために提供されうるそれぞれのリソース量を決定しうる。各マクロｅＮＢが提供しうる、決定されたリソース量に基づいて、これらマクロｅＮＢは、受信されたサブフレームのパターンのうちの１つを選択し、選択されたパターンの保護サブフレームの間、送信を制限しうる。
【００５０】
態様によれば、各ｅＮＢは、保護されたリソースの、選択されたパターンを示すインジケーションをシグナルしうる。例えば、マクロｅＮＢ４１０は、「ａ」個の保護されたリソースのパターンを選択し、「ａ」個の保護されたサブフレームを示すインジケーションを、コンフィギュレーション・メッセージ４５０によって、ピコｅＮＢ４３０へシグナルし、マクロｅＮＢ４２０は、「ｂ」個の保護されたリソースのパターンを選択し、「ｂ」個の保護されたサブフレームを示すインジケーションを、コンフィギュレーション・メッセージ４６０によって、ピコｅＮＢ４３０へシグナルしうる。
【００５１】
ピコｅＮＢ４３０は、これら選択されたパターンを示すインジケーションを受信し、ｍｉｎ（ａ，ｂ）個の保護されたサブフレームがオーバラップすることが保証されうる。この情報を用いて、ピコｅＮＢ４３０は、干渉元のｅＮＢによる使用が制限される選択されたパターンに基づいて、１または複数のオーバラップする保護サブフレームを識別しうる。この情報に基づいて、ピコｅＮＢは、識別された保護サブフレームのうちの１または複数を用いて、ＵＥへデータを送信しうるか、および／または、ＵＥからデータを受信しうる。
【００５２】
さらに、保護サブフレームの順序を用いることによって、ピコｅＮＢは、固定的および／または半固定的である、受信された１または複数の選択されたパターンの一部分を決定しうる。例えば、パターン２を示すインジケーションのような、コンフィギュレーション・メッセージ４５０をピコｅＮＢ４３０が受信した場合、このピコｅＮＢは、パターン１が、保護サブフレームの半固定的成分であることを認識するだろう。ピコｅＮＢ４３０は、ＵＥ４４０とより効率的に通信するために、この情報を使用しうる。
【００５３】
図５は、本開示の態様にしたがって、例えば、潜在的な干渉元のマクロｅＮＢによって実行されうる動作５００の例を例示する。５０２では、ｅＮＢが、イボルブド・ノードＢ（ｅＮＢ）による使用が制限されている１または複数の保護サブフレームの複数のパターンを受信しうる。ここで、「ｋ」個の保護サブフレームを表すパターンの各保護サブフレームは、「ｋ＋１」個の保護サブフレームを表すパターンの対応する保護サブフレームとオーバラップする。５０４では、ｅＮＢが、これらパターンのうちの１つを選択しうる。５０６では、ｅＮＢが、選択されたパターンの保護サブフレームの間、送信を制限しうる。
【００５４】
図６は、本開示の態様にしたがって、例えばネットワークによって実行されうる動作６００の例を図示する。６０２において、ネットワークは、ビットからなる複数のパターンを生成しうる。ここで、各ビットは、イボルブド・ノードＢ（ｅＮＢ）の送信を制限することによって、対応するサブフレームが保護されているか否かを示し、「ｋ」個の保護サブフレームを表すパターンの各保護サブフレームは、「ｋ＋１」個の保護サブフレームを表すパターンの、対応する保護サブフレームとオーバラップする。６０４では、ネットワークは、これら複数のパターンを、潜在的な干渉元のｅＮＢへ送信しうる。
【００５５】
図７は、本開示の態様にしたがって、例えばピコｅＮＢによって実行されうる動作７００の例を例示する。７０２では、ピコｅＮＢが、干渉元のイボルブド・ノードＢ（ｅＮＢ）による使用が制限されている１または複数の保護サブフレームの複数のパターンを受信しうる。ここで、「ｋ」個の保護サブフレームを表すパターンの各保護サブフレームは、「ｋ＋１」個の保護サブフレームを表すパターンの、対応する保護サブフレームとオーバラップする。７０４において、ピコｅＮＢは、１または複数の各干渉元のｅＮＢから、選択された１または複数のパターンを示すインジケーションを受信しうる。
【００５６】
本明細書に記載されているように、保護されたリソースのシーケンスを定義することによって、本開示の態様は、ピコｅＮＢとＵＥとの間のより効率的な通信を可能にする。ネットワークは、保護されたリソースのパターンのシーケンスを生成しうる。干渉元の各ｅＮＢは、別のｅＮＢへ提供しうるリソース量に基づいて、このシーケンスにおけるパターンを選択しうる。そして、選択されたパターンの保護サブフレームの間、送信を制限しうる。
【００５７】
ピコｅＮＢは、１または複数の干渉元のｅＮＢから、保護リソースの、選択されたパターンを示すインジケーションを受信しうる。この情報を用いて、ピコｅＮＢは、保護されたリソースのオーバラップを決定し、固定的になる可能性が高い構成の一部分を識別しうる。したがって、ピコｅＮＢは、ＵＥと通信するために、１または複数のマクロ・セルからのオフロードを使用しうる。
【００５８】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００５９】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６０】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６１】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００６２】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００６３】
本開示の前述した記載は、当業者が、本開示の製造または利用を可能となるように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
なお、以下に、出願当初の特許請求の範囲に記載された発明を付記する。
［Ｃ１］
無線通信のための方法であって、
イボルブド・ノードＢ（ｅＮＢ）による使用が制限されている１または複数の保護サブフレームの複数のパターンを受信することと、ここで、「ｋ」個の保護サブフレームを表すパターンの各保護サブフレームは、「ｋ＋１」個の保護サブフレームを表すパターンの、対応する保護サブフレームとオーバラップする；
前記複数のパターンのうち１つのパターンを選択することと；
前記選択されたパターンの保護サブフレームの間、送信を制限することと；を備える方法。
［Ｃ２］
別のｅＮＢによる使用のために提供されうるリソース量を決定することと、
前記決定されたリソース量に基づいて、前記複数のパターンのうち１つのパターンを選択することと、をさらに備えるＣ１に記載の方法。
［Ｃ３］
前記選択されたパターンに基づいて、１または複数の保護サブフレームを識別する情報を送信すること、をさらに備えるＣ１に記載の方法。
［Ｃ４］
前記１または複数の保護サブフレームは、ほとんどブランクであるサブフレーム（ＡＢＳ）を含む、Ｃ１に記載の方法。
［Ｃ５］
前記１または複数の保護サブフレームの複数のパターンはおのおの、前記１または複数の保護サブフレームを示す値に設定された１または複数のビットを有するビットマップを備える、Ｃ１に記載の方法。
［Ｃ６］
前記「ｋ」個の保護サブフレームに対応するパターンのビットマップは、前記「ｋ＋１」個の保護サブフレームに対応するパターンのビットマップと、１ビット値異なる、Ｃ５に記載の方法。
［Ｃ７］
無線通信のための方法であって、
ビットからなる複数のパターンを生成することと、ここで、各ビットは、イボルブド・ノードＢ（ｅＮＢ）の送信を制限することによって、対応するサブフレームが保護されているか否かを示し、「ｋ」個の保護サブフレームを表すパターンの各保護サブフレームは、「ｋ＋１」個の保護サブフレームを表すパターンの、対応する保護サブフレームとオーバラップする；
前記複数のパターンを、潜在的な干渉元のｅＮＢへ送信することと；を備える方法。
［Ｃ８］
１または複数の前記保護サブフレームは、ほとんどブランクであるサブフレーム（ＡＢＳ）を含む、Ｃ７に記載の方法。
［Ｃ９］
１または複数の前記保護サブフレームの複数のパターンはおのおの、前記１または複数の保護サブフレームを示す値に設定された１または複数のビットを有するビットマップを備える、Ｃ７に記載の方法。
［Ｃ１０］
前記「ｋ」個の保護サブフレームに対応するパターンのビットマップは、前記「ｋ＋１」個の保護サブフレームに対応するパターンのビットマップと、１ビット値異なる、Ｃ９に記載の方法。
［Ｃ１１］
無線通信のための方法であって、
干渉元のイボルブド・ノードＢ（ｅＮＢ）による使用が制限されている１または複数の保護サブフレームの複数のパターンを受信することと、ここで、「ｋ」個の保護サブフレームを表すパターンの各保護サブフレームは、「ｋ＋１」個の保護サブフレームを表すパターンの、対応する保護サブフレームとオーバラップする；
１または複数の各干渉元のｅＮＢから、選択された１または複数のパターンを示すインジケーションを受信することと；を備える方法。
［Ｃ１２］
前記選択された１または複数のパターンの、受信されたインジケーションに基づいて、固定的または半固定的である受信された選択されたパターンのうち、選択されたパターンの一部分を決定すること、をさらに備えるＣ１１に記載の方法。
［Ｃ１３］
前記選択された１または複数のパターンの、受信されたインジケーションに基づいて、１または複数の保護サブフレームを識別する情報を、ユーザ機器（ＵＥ）へ送信すること、をさらに備えるＣ１１に記載の方法。
［Ｃ１４］
前記識別された１または複数の保護サブフレームのうちの１または複数を用いて、前記ＵＥからデータを受信すること、または、前記ＵＥへデータを送信すること、のうちの少なくとも１つをさらに備える、Ｃ１３に記載の方法。
［Ｃ１５］
前記１または複数の保護サブフレームは、ほとんどブランクであるサブフレーム（ＡＢＳ）を含む、Ｃ１１に記載の方法。
［Ｃ１６］
前記１または複数の保護サブフレームの複数のパターンはおのおの、前記１または複数の保護サブフレームを示す値に設定された１または複数のビットを有するビットマップを備える、Ｃ１１に記載の方法。
［Ｃ１７］
前記「ｋ」個の保護サブフレームに対応するパターンのビットマップは、前記「ｋ＋１」個の保護サブフレームに対応するパターンのビットマップと、１ビット値異なる、Ｃ１６に記載の方法。
［Ｃ１８］
無線通信のための装置であって、
イボルブド・ノードＢ（ｅＮＢ）による使用が制限されている１または複数の保護サブフレームの複数のパターンを受信する手段と、ここで、「ｋ」個の保護サブフレームを表すパターンの各保護サブフレームは、「ｋ＋１」個の保護サブフレームを表すパターンの、対応する保護サブフレームとオーバラップする；
前記複数のパターンのうちの１つのパターンを選択する手段と；
前記選択されたパターンの保護サブフレームの間、送信を制限する手段と；を備える装置。
［Ｃ１９］
別のｅＮＢによる使用のために提供されうるリソース量を決定する手段と、
前記決定されたリソース量に基づいて、前記複数のパターンのうち１つのパターンを選択する手段と、を備えるＣ１８に記載の装置。
［Ｃ２０］
前記選択されたパターンに基づいて、１または複数の保護サブフレームを識別する情報を送信する手段、をさらに備えるＣ１８に記載の装置。
［Ｃ２１］
前記１または複数の保護サブフレームは、ほとんどブランクであるサブフレーム（ＡＢＳ）を含む、Ｃ１８に記載の装置。
［Ｃ２２］
前記１または複数の保護サブフレームの複数のパターンはおのおの、前記１または複数の保護サブフレームを示す値に設定された１または複数のビットを有するビットマップを備える、Ｃ１８に記載の装置。
［Ｃ２３］
前記「ｋ」個の保護サブフレームに対応するパターンのビットマップは、前記「ｋ＋１」個の保護サブフレームに対応するパターンのビットマップと、１ビット値異なる、Ｃ２２に記載の装置。
［Ｃ２４］
無線通信のための装置であって、
ビットからなる複数のパターンを生成する手段と、ここで、各ビットは、イボルブド・ノードＢ（ｅＮＢ）の送信を制限することによって、対応するサブフレームが保護されているか否かを示し、「ｋ」個の保護サブフレームを表すパターンの各保護サブフレームは、「ｋ＋１」個の保護サブフレームを表すパターンの、対応する保護サブフレームとオーバラップする；
前記複数のパターンを、潜在的な干渉元のｅＮＢへ送信する手段と；を備える装置。
［Ｃ２５］
１または複数の前記保護サブフレームは、ほとんどブランクであるサブフレーム（ＡＢＳ）を含む、Ｃ２４に記載の装置。
［Ｃ２６］
１または複数の前記保護サブフレームの複数のパターンはおのおの、前記１または複数の保護サブフレームを示す値に設定された１または複数のビットを有するビットマップを備える、Ｃ２４に記載の装置。
［Ｃ２７］
前記「ｋ」個の保護サブフレームに対応するパターンのビットマップは、前記「ｋ＋１」個の保護サブフレームに対応するパターンのビットマップと、１ビット値異なる、Ｃ２６に記載の装置。
［Ｃ２８］
無線通信のための装置であって、
干渉元のイボルブド・ノードＢ（ｅＮＢ）による使用が制限されている１または複数の保護サブフレームの複数のパターンを受信する手段と、ここで、「ｋ」個の保護サブフレームを表すパターンの各保護サブフレームは、「ｋ＋１」個の保護サブフレームを表すパターンの、対応する保護サブフレームとオーバラップする；
１または複数の各干渉元のｅＮＢから、選択された１または複数のパターンを示すインジケーションを受信する手段と；を備える装置。
［Ｃ２９］
前記選択された１または複数のパターンの、受信されたインジケーションに基づいて、固定的または半固定的である受信された選択されたパターンのうち、選択されたパターンの一部分を決定する手段、をさらに備えるＣ２８に記載の装置。
［Ｃ３０］
前記選択された１または複数のパターンの、受信されたインジケーションに基づいて、１または複数の保護サブフレームを識別する情報を、ユーザ機器（ＵＥ）へ送信する手段、をさらに備えるＣ２８に記載の装置。
［Ｃ３１］
前記識別された１または複数の保護サブフレームのうちの１または複数を用いて、前記ＵＥからデータを受信する手段、または、前記ＵＥへデータを送信する手段、のうちの少なくとも１つを備える、Ｃ３０に記載の装置。
［Ｃ３２］
前記１または複数の保護サブフレームは、ほとんどブランクであるサブフレーム（ＡＢＳ）を含む、Ｃ２８に記載の装置。
［Ｃ３３］
前記１または複数の保護サブフレームの複数のパターンはおのおの、前記１または複数の保護サブフレームを示す値に設定された１または複数のビットを有するビットマップを備える、Ｃ２８に記載の装置。
［Ｃ３４］
前記「ｋ」個の保護サブフレームに対応するパターンのビットマップは、前記「ｋ＋１」個の保護サブフレームに対応するパターンのビットマップと、１ビット値異なる、Ｃ３３に記載の装置。
［Ｃ３５］
無線通信のための装置であって、
イボルブド・ノードＢ（ｅＮＢ）による使用が制限されている１または複数の保護サブフレームの複数のパターンを受信し、ここで、「ｋ」個の保護サブフレームを表すパターンの各保護サブフレームは、「ｋ＋１」個の保護サブフレームを表すパターンの、対応する保護サブフレームとオーバラップする；
前記複数のパターンのうちの１つのパターンを選択し；
前記選択されたパターンの保護サブフレームの間、送信を制限する；ように構成された少なくとも１つのプロセッサと、
前記少なくとも１つのプロセッサに接続されたメモリと、を備える装置。
［Ｃ３６］
前記少なくとも１つのプロセッサは、
別のｅＮＢによる使用のために提供されうるリソース量を決定し、
前記決定されたリソース量に基づいて、前記複数のパターンのうち１つのパターンを選択するように構成された、Ｃ３５に記載の装置。
［Ｃ３７］
前記少なくとも１つのプロセッサはさらに、前記選択されたパターンに基づいて、１または複数の保護サブフレームを識別する情報を送信するように構成された、Ｃ３５に記載の装置。
［Ｃ３８］
前記１または複数の保護サブフレームは、ほとんどブランクであるサブフレーム（ＡＢＳ）を含む、Ｃ３５に記載の装置。
［Ｃ３９］
前記１または複数の保護サブフレームの複数のパターンはおのおの、前記１または複数の保護サブフレームを示す値に設定された１または複数のビットを有するビットマップを備える、Ｃ３５に記載の装置。
［Ｃ４０］
前記「ｋ」個の保護サブフレームに対応するパターンのビットマップは、前記「ｋ＋１」個の保護サブフレームに対応するパターンのビットマップと、１ビット値異なる、Ｃ３９に記載の装置。
［Ｃ４１］
無線通信のための装置であって、
ビットからなる複数のパターンを生成し、ここで、各ビットは、イボルブド・ノードＢ（ｅＮＢ）の送信を制限することによって、対応するサブフレームが保護されているか否かを示し、「ｋ」個の保護サブフレームを表すパターンの各保護サブフレームは、「ｋ＋１」個の保護サブフレームを表すパターンの、対応する保護サブフレームとオーバラップする；
前記複数のパターンを、潜在的な干渉元のｅＮＢへ送信する；ように構成された少なくとも１つのプロセッサと、
前記少なくとも１つのプロセッサに接続されたメモリと、を備える装置。
［Ｃ４２］
１または複数の前記保護サブフレームは、ほとんどブランクであるサブフレーム（ＡＢＳ）を含む、Ｃ４１に記載の装置。
［Ｃ４３］
１または複数の前記保護サブフレームの複数のパターンはおのおの、前記１または複数の保護サブフレームを示す値に設定された１または複数のビットを有するビットマップを備える、Ｃ４１に記載の装置。
［Ｃ４４］
前記「ｋ」個の保護サブフレームに対応するパターンのビットマップは、前記「ｋ＋１」個の保護サブフレームに対応するパターンのビットマップと、１ビット値異なる、Ｃ４３に記載の装置。
［Ｃ４５］
無線通信のための装置であって、
干渉元のイボルブド・ノードＢ（ｅＮＢ）による使用が制限されている１または複数の保護サブフレームの複数のパターンを受信し、ここで、「ｋ」個の保護サブフレームを表すパターンの各保護サブフレームは、「ｋ＋１」個の保護サブフレームを表すパターンの、対応する保護サブフレームとオーバラップする；
１または複数の各干渉元のｅＮＢから、選択された１または複数のパターンを示すインジケーションを受信する；ように構成された少なくとも１つのプロセッサと、
前記少なくとも１つのプロセッサに接続されたメモリと、を備える装置。
［Ｃ４６］
前記少なくとも１つのプロセッサはさらに、前記選択された１または複数のパターンの、受信されたインジケーションに基づいて、固定的または半固定的である受信された選択されたパターンのうち、選択されたパターンの一部分を決定するように構成された、Ｃ４５に記載の装置。
［Ｃ４７］
前記少なくとも１つのプロセッサはさらに、前記選択された１または複数のパターンの、受信されたインジケーションに基づいて、１または複数の保護サブフレームを識別する情報を、ユーザ機器（ＵＥ）へ送信するように構成された、Ｃ４５に記載の装置。
［Ｃ４８］
前記少なくとも１つのプロセッサはさらに、前記識別された１または複数の保護サブフレームのうちの１または複数を用いて、前記ＵＥからデータを受信すること、または、前記ＵＥへデータを送信すること、のうちの少なくとも１つを実行するように構成された、Ｃ４７に記載の装置。
［Ｃ４９］
前記１または複数の保護サブフレームは、ほとんどブランクであるサブフレーム（ＡＢＳ）を含む、Ｃ４５に記載の装置。
［Ｃ５０］
前記１または複数の保護サブフレームの複数のパターンはおのおの、前記１または複数の保護サブフレームを示す値に設定された１または複数のビットを有するビットマップを備える、Ｃ４５に記載の装置。
［Ｃ５１］
前記「ｋ」個の保護サブフレームに対応するパターンのビットマップは、前記「ｋ＋１」個の保護サブフレームに対応するパターンのビットマップと、１ビット値異なる、Ｃ５０に記載の装置。
［Ｃ５２］
無線通信のためのコンピュータ・プログラム製品であって、
格納されたコードを有する非一時的なコンピュータ読取可能な媒体を備え、
前記コードは、
イボルブド・ノードＢ（ｅＮＢ）による使用が制限されている１または複数の保護サブフレームの複数のパターンを受信することと、ここで、「ｋ」個の保護サブフレームを表すパターンの各保護サブフレームは、「ｋ＋１」個の保護サブフレームを表すパターンの、対応する保護サブフレームとオーバラップする；
前記複数のパターンのうち１つのパターンを選択することと；
前記選択されたパターンの保護サブフレームの間、送信を制限することと；のために、１または複数のプロセッサによって実行可能である、コンピュータ・プログラム製品。
［Ｃ５３］
別のｅＮＢによる使用のために提供されうるリソース量を決定するためのコードと、
前記決定されたリソース量に基づいて、前記複数のパターンのうち１つのパターンを選択するためのコードと、を備えるＣ５２に記載のコンピュータ・プログラム製品。
［Ｃ５４］
前記選択されたパターンに基づいて、１または複数の保護サブフレームを識別する情報を送信するためのコード、をさらに備えるＣ５２に記載のコンピュータ・プログラム製品。
［Ｃ５５］
前記１または複数の保護サブフレームは、ほとんどブランクであるサブフレーム（ＡＢＳ）を含む、Ｃ５２に記載のコンピュータ・プログラム製品。
［Ｃ５６］
前記１または複数の保護サブフレームの複数のパターンはおのおの、前記１または複数の保護サブフレームを示す値に設定された１または複数のビットを有するビットマップを備える、Ｃ５２に記載のコンピュータ・プログラム製品。
［Ｃ５７］
前記「ｋ」個の保護サブフレームに対応するパターンのビットマップは、前記「ｋ＋１」個の保護サブフレームに対応するパターンのビットマップと１ビット値異なる、Ｃ５６に記載のコンピュータ・プログラム製品。
［Ｃ５８］
無線通信のためのコンピュータ・プログラム製品であって、
格納されたコードを有する非一時的なコンピュータ読取可能な媒体を備え、
前記コードは、
ビットからなる複数のパターンを生成することと、ここで、各ビットは、イボルブド・ノードＢ（ｅＮＢ）の送信を制限することによって、対応するサブフレームが保護されているか否かを示し、「ｋ」個の保護サブフレームを表すパターンの各保護サブフレームは、「ｋ＋１」個の保護サブフレームを表すパターンの、対応する保護サブフレームとオーバラップする；
前記複数のパターンを、潜在的な干渉元のｅＮＢへ送信することと；のために、１または複数のプロセッサによって実行可能である、コンピュータ・プログラム製品。
［Ｃ５９］
１または複数の前記保護サブフレームは、ほとんどブランクであるサブフレーム（ＡＢＳ）を含む、Ｃ５８に記載のコンピュータ・プログラム製品。
［Ｃ６０］
１または複数の前記保護サブフレームの複数のパターンはおのおの、前記１または複数の保護サブフレームを示す値に設定された１または複数のビットを有するビットマップを備える、Ｃ５８に記載のコンピュータ・プログラム製品。
［Ｃ６１］
前記「ｋ」個の保護サブフレームに対応するパターンのビットマップは、前記「ｋ＋１」個の保護サブフレームに対応するパターンのビットマップと、１ビット値異なる、Ｃ６０に記載のコンピュータ・プログラム製品。
［Ｃ６２］
無線通信のためのコンピュータ・プログラム製品であって、
格納されたコードを有する非一時的なコンピュータ読取可能な媒体を備え、
前記コードは、
干渉元のイボルブド・ノードＢ（ｅＮＢ）による使用が制限されている１または複数の保護サブフレームの複数のパターンを受信することと、ここで、「ｋ」個の保護サブフレームを表すパターンの各保護サブフレームは、「ｋ＋１」個の保護サブフレームを表すパターンの、対応する保護サブフレームとオーバラップする；
１または複数の各干渉元のｅＮＢから、選択された１または複数のパターンを示すインジケーションを受信することと；のために、１または複数のプロセッサによって実行可能である、コンピュータ・プログラム製品。
［Ｃ６３］
前記選択された１または複数のパターンの、受信されたインジケーションに基づいて、固定的または半固定的である受信された選択されたパターンのうち、選択されたパターンの一部分を決定するためのコード、をさらに備えるＣ６２に記載のコンピュータ・プログラム製品。
［Ｃ６４］
前記選択された１または複数のパターンの、受信されたインジケーションに基づいて、１または複数の保護サブフレームを識別する情報を、ユーザ機器（ＵＥ）へ送信するためのコード、をさらに備えるＣ６２に記載のコンピュータ・プログラム製品。
［Ｃ６５］
前記識別された１または複数の保護サブフレームのうちの１または複数を用いて、前記ＵＥからデータを受信すること、または、前記ＵＥへデータを送信すること、のうちの少なくとも１つのためのコード、をさらに備えるＣ６４に記載のコンピュータ・プログラム製品。
［Ｃ６６］
前記１または複数の保護サブフレームは、ほとんどブランクであるサブフレーム（ＡＢＳ）を含む、Ｃ６２に記載のコンピュータ・プログラム製品。
［Ｃ６７］
前記１または複数の保護サブフレームの複数のパターンはおのおの、前記１または複数の保護サブフレームを示す値に設定された１または複数のビットを有するビットマップを備える、Ｃ６２に記載のコンピュータ・プログラム製品。
［Ｃ６８］
前記「ｋ」個の保護サブフレームに対応するパターンのビットマップは、前記「ｋ＋１」個の保護サブフレームに対応するパターンのビットマップと、１ビット値異なる、Ｃ６７に記載のコンピュータ・プログラム製品。
【図１】
0005639278.tif 000002
【図２】
0005639278.tif 000003
【図３】
0005639278.tif 000004
【図４】
0005639278.tif 000005
【図５】
0005639278.tif 000006
【図６】
0005639278.tif 000007
【図７】
0005639278.tif 000008